(57)【要約】      （修正有）【課題】異なる足部のサイズに対応することを可能としたスキューバダイビング用フィンの提供。【解決手段】脚部装着部１０及び該脚部装着部から先方に延長されたフィン部２０からなり、前カバー１１、踵カバー１２及び二つのカバーの間に一体成型されてなる接続ベルト１３によって構成され、該接続ベルトは、靴底との間に空間を空けたベルト構造として、弾性と伸縮性を具えてなり、使用者の異なるサイズの足の装着に対応することを可能とする。【選択図】図３
0003121913.tif 000002
【実用新案登録請求の範囲】
【請求項１】
前カバー、踵カバー、及び二つのカバーの間に位置する一対以上の接続ベルトによって構成されるフィンの脚部装着構造であって、
該前カバーは、前半部の形状が靴の形を呈してなると共に、その内側は足部の前側をカバーし、先方に延長したフィン部を具えてなり、
前記踵カバーは、後半部の形状が靴の踵形を呈して足部の後側をカバーしてなり、
前記接続ベルトは帯状体を呈し、前カバーと踵カバーの間において設けられて、伸縮可能であることにより、異なるサイズの足の装着に対応することができることを特徴とするフィンの脚部装着の構造。
【請求項２】
前記接続ベルトは、前カバーと踵カバーの間の両側に設けられてなることを特徴とする請求項１記載のフィンの脚部装着の構造。
【請求項３】
前記接続ベルトは、前カバーと踵カバーの間の両側及び裏側に設けられてなることを特徴とする請求項１記載のフィンの脚部装着の構造。
【請求項４】
前記接続ベルトは、前カバーと踵カバーの間の両側に設けられてなり、どの側辺においても、少なくとも１つの接続ベルトによって構成されてなることを特徴とする請求項１記載のフィンの脚部装着の構造。
【請求項５】
前記接続ベルトは、前カバーと踵カバーの間の両側及び裏側に設けられてなり、どの側辺においても、少なくとも１つの接続ベルトによって構成されてなることを特徴とする請求項１記載のフィンの脚部装着の構造。
【請求項６】
前記前カバーの上にはいくつかの孔が設けられてなることを特徴とする請求項１記載のフィンの脚部装着の構造。
【請求項７】
前記踵カバーは、ベルト状を呈することを特徴とする請求項１記載のフィンの脚部装着の構造。
【考案の詳細な説明】
【技術分野】
【０００１】
本考案は、スキューバダイビングなどに用いる足ひれ、いわゆるフィンの構造に係るものであり、特に使用者の異なる足部のサイズに対応することが可能なフィン構造に関する。
【背景技術】
【０００２】
フィンの構造は、足部のカバー装置及び脚部装着部の構造から先に延長してなるフィン部からなり、使用者は脚部装着の構造の足部カバー装置に力をかけることにより、フィン部を上下に動かし、推進力を生じさせる。
該脚部装着の構造は一般に二種類に分類されてなり、そのうち１つは足部を覆う（脚の付け根を含む）袋式（図１を参照）のものであり、靴を履くようにして袋状（靴状）の構造を装着する。
もう一種類は、足部の前半部をカバーする穴式（図２を参照）のものであり、足部の付け根がオープン式となって、足部を脚部装着の構造の穴に挿入して踵部位をベルトA及び止め具Bによって固定する形式のものである。
前記袋式の脚部装着の構造は、足部に快適でフィットした装着を提供できる利点を具えているが、使用者が適合しない袋式の脚部装着の構造を装着した場合にきつ過ぎたり、緩すぎたりすると不快に感じ、力が入らないため、使用者の異なる脚のサイズに対応して、多様なサイズを製造しなければならない。
前記穴式の脚部装着の構造は、異なるサイズの足部に対応することができるが、容易に緩みやすく、脱離したり、引っかかり易く快適でないため、足部全体の使用に影響を与える。
現在の市販される公知のフィンは、大多数が柔軟度及び伸縮度という特性を持つ弾性を具えたゴム状素材によって製造される。
【特許文献１】特開平１０−２９５８４９号公報
【考案の開示】
【考案が解決しようとする課題】
【０００３】
公知の構造には以下の欠点があった。
すなわち、袋式の脚部装着の構造は使用者の異なる脚のサイズに対応して、多様なサイズを製造しなければならない。
さらに穴式の脚部装着の構造は、容易に緩みや脱離を生じ、引っかかり易く快適でないため、使用性に問題がある。
本考案は上記の問題点を解決したフィンの脚部装着の構造を提供するものである。
【課題を解決するための手段】
【０００４】
上記課題を解決するために、本考案は、下記のフィンの脚部装着の構造を提供する。
それはフィン構造において、特に脚部装着の構造部分の改良に係る。
該脚部装着の構造は前カバー、踵カバー及び二つのカバーの間に少なくとも二つ設けられてなる延伸可能の弾性構造である接続ベルトからなり、
該前カバー、踵カバー及び接続ベルトは一体成型されてなる。
前記接続ベルトは前カバーと踵カバーと同一の材質からなり、適度の厚さと広さを具え、十分な強度の下で伸縮することが可能となる。また、接続ベルトは前カバーと踵カバーの間の両側辺以外に設けることができる外に、さらに前進して前カバーと踵カバーの間の下側（靴底の位置）に設けることも可能であり、それにより足部の覆い包みの効果をさらに周密なものとする。
加えて、前カバーと踵カバーの間の左右、或いは下側に設けられてなる接続ベルトは複数の帯状に分けることができ、足部の異なる位置の活動による角度の変化等によって伸縮する効果を提供することを特徴とするフィンの脚部装着の構造である。
【０００５】
すなわち、請求項１の考案は前カバー、踵カバー、及び二つのカバーの間に位置するいくつかの接続ベルトによって構成されるフィンの脚部装着の構造であり、該前カバーは前半部の形状が靴の形を呈してなり、その内側は足部の前側をカバーし、外側には前方に延長してなるフィン部を具えてなり、前記踵カバーは後半部の形状が靴の形を呈してなり、その内側は足部の後側をカバーしてなり、前記接続ベルトは帯状体を呈し、前カバーと踵カバーの間において設けられてなり、前記脚部装着の構造は接続ベルトが伸縮可能であることにより、異なるサイズの足の装着に対応することができることを特徴とするフィンの脚部装着の構造である。請求項２の考案は、前記接続ベルトは前カバーと踵カバーの間の両側に設けられてなることを特徴とする請求項１記載のフィンの脚部装着の構造である。請求項３の考案は、前記接続ベルトは前カバーと踵カバーの間の両側及び裏側に設けられてなることを特徴とする請求項１記載のフィンの脚部装着の構造である。請求項４の考案は、前記接続ベルトは前カバーと踵カバーの間の両側に設けられてなり、どの側辺においても、少なくとも１つの接続ベルトによって構成されてなることを特徴とする請求項１記載のフィンの脚部装着の構造である。請求項５の考案は、前記接続ベルトは前カバーと踵カバーの間の両側及び裏側に設けられてなり、どの側辺においても、少なくとも１つの接続ベルトによって構成されてなることを特徴とする請求項１記載のフィンの脚部装着の構造である。請求項６の考案は、前記前カバーの上にはいくつかの孔が設けられてなることを特徴とする請求項１記載のフィンの脚部装着の構造である。請求項７の考案は、前記踵カバーはベルト状を呈することを特徴とする請求項１記載のフィンの脚部装着の構造である。
【考案の効果】
【０００６】
上記のように、本考案によれば、前カバー、踵カバー及び前記二つのカバーの間において、一体成型されてなる接続ベルトによってなる脚部装着の構造及び脚部装着の構造から先方に向けて延長されてなるフィン部からなる本考案は、弾性と伸縮性を具えた接続ベルトが設けられてなることにより、異なるサイズの足の装着に対応することが可能となり、かつ、安定した包容力を具え、フィンを装着時の動作を快適にすることを可能とし、また接続ベルトを前カバーと踵カバーの間の下側（靴底の位置）に設けた場合、それにより足部の被包作用をさらに緊密なものとする。
加えて、前カバーと踵カバーの間の左右、或いは下側に設けられてなる接続ベルトは複数の帯状に分けることができ、足部の異なる位置の活動による角度の変化等に対応して伸縮する効果を提供することはできる。
【考案を実施するための最良の形態】
【０００７】
図３、４、５に示すように、本考案のフィンは、脚部装着の構造１０及びフィン部２０によって構成され、
該脚部装着の構造１０は、前カバー１１と踵カバー１２及び前記二つのカバーの両側において少なくとも二つ設けられてなる接続ベルト１３によってなり、
該前カバー１１と踵カバー１２及び接続ベルトは同一の材質から一体成型されてなる。
公知の構造と同じように、フィン部２０は前カバー１１の前側と左右の両側面、底部などから先方に向って延長してなるフィン部から構成されてなる。
該フィン部２０の形態及び種類は、図式に示されたものに限られるものではなく、各種の多種多様な変化を加えることができる。
前記前カバー１１は、靴の形態をした前半部に係り、内部に足の収容空間を具えることにより、足部の前半部を挿入することを可能とし、並びに足部の前半部の位置を安定させてなる。さらに、前カバー１１の下方には靴底１４が設けられてなる。
前記踵カバー１２は、靴の形態の後半部に係り、脚の踵に装着することを可能とするボール形状を具えてなり、それによって脚の踵は安定した状態で取り付けられる。
前記接続ベルト１３は、前カバー１１と踵カバー２０の間に接続されてなる帯状材を形成し、三つ全てが同じ材料で一体成型されてなることができ、さらに接続ベルト１３は伸縮性を具えてなる。つまり、足部を脚部カバー１０内に挿入する時、接続ベルト１３の収縮性により、足部全体を適度な圧力によって被包することにより、足部に緊迫した状態で装着される。また、足部が運動する際には、接続ベルト１３は常に角度の変化による伸縮に対応することを可能とする。
さらに、前カバー１１と踵カバー１２の間には左右と下方のそれぞれに具えられた接続ベルト１３があり、それによって脚部装着の構造１０が足部に対して覆い包む作用を常に発揮することができる。
【０００８】
図６、７に示すように、異なるサイズを履いた状態の足部の実施例であり  、図６の接続ベルト１３は引っ張られて伸縮した部分が少ないのに対し、  
図７の接続ベルト１３は明確に引っ張られて伸縮されてなることにより、L2からL１の異なる足部のサイズに対応していることを示している。
【０００９】
図８、９に示すように、接続ベルト１３は前カバー１１と踵カバー１２の左右側にそれぞれ各ベルトがあることに対して、靴底１４と踵カバー１２の間には接続ベルトがなく、空いた形状とする。
【００１０】
図１０に示すものは、前カバー１１と踵カバー１２の間の側面に二本の接続ベルト１３を具えたもので、これにより、足部の異なる位置や活動時の角度等の変化に対応して異なる伸縮の度合いとなることを示している。
【００１１】
すなわち、上述のように、本考案の脚部装着の構造１０は、前カバー１１、踵カバー１２及び接続ベルトから構成されてなり、
該接続ベルト１３は、左右二本に限らず、例えば、左右両側の接続ベルト１３をそれぞれ二本に設けたり、或いは下方の接続ベルト１３を二本に設けたりすることが可能であり、形状も制限されることはない。
つまり、本考案の実施例の特徴とする所は、接続ベルト１３を前カバー１１と踵カバー１２の間の相互に接続する位置に設けて、伸縮性作用を持たせることにより、脚部装着の構造１０を異なるサイズの足部の装着に対応することができることである。
【００１２】
図１１に示すように、靴底１４と踵カバー１２の間に設置される接続ベルト１３の両側の穴を比較的広くし、靴具の側面と底面に設けられる接続ベルト１３もまた、伸縮効果を具えることが出来る。
【００１３】
図１２に示すように、全ての脚部装着の構造１０は使用者の異なる足部の長さに適応することを可能とするほか、さらに前カバー１１を異なる足部の広さと厚さに適応させることを可能とするため、さらに前カバー１１上においていくつかの孔１６を設けることにより、前カバー１１に伸縮作用を持たせることが出来る。
【００１４】
図１３に示すように、別種の好適な実施例によれば、比較的に軽便なベルト状を呈する踵カバー１２’を備えた構造によることも、本考案のバリエーションとして考案の請求する権利範囲に含まれる。
【００１５】
本考案では、好適な実施例を前述の通り開示したが、これらは決して本考案に限定するものでなく、当該技術を熟知する者ならだれでも、本考案の精神と領域を脱しない範囲内で各種の変動や潤色を加えることができ、従って本考案の保護範囲は実用新案請求の範囲で指定した内容を基準とする。
【図面の簡単な説明】
【００１６】
【図１】公知の袋式のフィンの側面説明図である。
【図２】公知の穴式のフィンの側面説明図
【図３】本考案のフィンの側面図である。
【図４】本考案のフィンの俯瞰図である。
【図５】本考案のフィンの仰視図である。
【図６】本考案のフィンの実施例の側面図（１）である。
【図７】本考案のフィンの実施例の側面図（２）である。
【図８】本考案の別の実施例の俯瞰図である。
【図９】本考案の別の実施例の仰視図である。
【図１０】本考案の更なる実施例の側面図である。
【図１１】本考案の更なる実施例の仰視図である。
【図１２】本考案の更なる実施例の側面図である。
【図１３】本考案の更なる実施例の立体図である。
【符号の説明】
【００１７】
A  ベルト
B  止め具
１０  脚部装着の構造
１１  前カバー
１２、１２’  踵カバー
１３、１３’、１３”  接続ベルト
１４  靴底
１５  孔
１６  孔
２０  フィン部
【図１】
0003121913.tif 000003
【図２】
0003121913.tif 000004
【図３】
0003121913.tif 000005
【図４】
0003121913.tif 000006
【図５】
0003121913.tif 000007
【図６】
0003121913.tif 000008
【図７】
0003121913.tif 000009
【図８】
0003121913.tif 000010
【図９】
0003121913.tif 000011
【図１０】
0003121913.tif 000012
【図１１】
0003121913.tif 000013
【図１２】
0003121913.tif 000014
【図１３】
0003121913.tif 000015